(57)【特許請求の範囲】
【請求項１】
略矩形板状をなす底壁部と、前記底壁部の各側辺部に沿ってそれぞれ上方に突出する土台部と、前記底壁部のうち上面側において前記土台部が形成されている土台形成範囲よりも内周側の部位の下面から下方に突出する支持リブとを具備する底壁構成部と、
前記各土台部に対してそれぞれ前記土台部の上方に立設される起立位置と、前記底壁部の上方に畳まれる寝かせ位置との間を回動可能に連結された側壁部とを備える折畳み容器において、
前記土台形成範囲において前記底壁部の下面から下方に突出する底壁突部と、
前記側壁部の上辺部において上方に開口するようにして形成され、全ての前記側壁部が前記起立位置とされた組立状態にある折畳み容器同士を上下に積み重ねた場合に、上側に重ねられた折畳み容器の前記底壁突部が収容される収容凹部とを備える構成であって、
前記収容凹部に設けられ、前記組立状態にある折畳み容器同士を上下に積み重ねた場合に、上側の折畳み容器の前記底壁突部のうち前記底壁部内周側の面と対向して、該底壁突部に当接、又は、近接する位置決め凸部と、
前記組立状態にある下側の折畳み容器の前記位置決め凸部のうち前記底壁部内周側の面である下容器凸部内面と、上側の折畳み容器の前記底壁突部のうち前記底壁部外周側の面である上容器突部外面とを対向させるようにして、折畳み容器同士を上下に重ねた状態から、
前記下容器凸部内面と、前記上容器突部外面とを近接させるようにして、上下の折畳み容器を水平方向に相対移動させた場合に、上側の折畳み容器の前記底壁突部を、下側の折畳み容器の前記位置決め凸部に対して斜め上方に変位させる乗り越え案内手段とを備えており、
前記土台部は、前記底壁部の相対する一対の側辺部に沿って設けられる一対の第１土台部と、前記一対の第１土台部の両端部間をそれぞれ連結するようにして、前記底壁部の側辺部に沿って設けられる一対の第２土台部とを備え、
前記側壁部は、前記第１土台部に対して連結される相対する一対の第１側壁部と、前記第２土台部に対して連結される相対する一対の第２側壁部とを備え、
前記底壁突部は、前記土台形成範囲のうち、前記第１土台部の下方に位置する部位と、前記第２土台部の下方に位置する部位とに設けられるとともに、
前記収容凹部は、前記第１側壁部と、前記第２側壁部とに設けられ、
前記位置決め凸部は、前記第１側壁部、及び、前記第２側壁部のうち、少なくとも前記第１側壁部に設けられ、
前記第１側壁部、及び、前記第２側壁部のうち、少なくとも前記第２側壁部の前記収容凹部には、当該第２側壁部の横幅方向中央部側に向けて下方傾斜し、前記収容凹部の底面と連続する傾斜面を有する前記乗り越え案内手段としての補助突起が設けられ、
前記組立状態にある下側の折畳み容器の前記第１側壁部に設けられた前記位置決め凸部の前記下容器凸部内面と、上側の折畳み容器の前記第１土台部の下方に位置する部位に設けられた前記底壁突部の前記上容器突部外面とを対向させるようにして、折畳み容器同士を同じ向きで上下に重ねた状態から、
前記下容器凸部内面と、前記上容器突部外面とを近接させるようにして、上下の折畳み容器を水平方向に相対移動させた場合に、
下側の折畳み容器の前記第２側壁部の前記収容凹部に設けられた前記補助突起の前記傾斜面に対し、上側の折畳み容器の前記第２土台部の下方に位置する部位に設けられた前記底壁突部が当接して、斜め上方へと案内されることを特徴とする折畳み容器。
【請求項２】
前記補助突起の前記傾斜面とは反対側の面は、当該補助突起が設けられた前記側壁部の上辺部の上面に対して直交する方向、又は、直交に近い方向に延びる直交面として構成されていることを特徴とする請求項１に記載の折畳み容器。
【発明の詳細な説明】
【技術分野】
【０００１】
本発明は、物品の運搬等に使用される折畳み容器に関するものである。
【背景技術】
【０００２】
従来、略矩形板状をなす底壁部と、底壁部の各側辺部に沿ってそれぞれ上方に突出する土台部とを具備する底壁構成部と、各土台部に対してそれぞれ回動可能に連結された側壁部とを備え、上方に開口する箱型に組立可能に構成されるとともに、各側壁部を底壁部の上方に折畳むことのできる折畳み容器が知られている。また、折畳み容器を使用しての物品の運搬や保管、及び、物品を収容していない折畳み容器自体の運搬や保管に際しての効率の向上を図るべく、折畳み容器同士を安定的に上下に積み重ねる（段積みする）ことができるような構成を備えている。より具体的には、底壁部の下面から下方に突出して折畳み容器を支持する支持リブは、組立状態にある折畳み容器同士を段積みした場合に、下側の折畳み容器の側壁部の内周側に挿入される（略嵌合する）ようにして設けられている。
【０００３】
しかしながら、かかる構成を採用する場合には、底壁部の外周側の部位（底壁部のうち上面側において土台部が形成され、組立状態にある折畳み容器の側壁部を支持する部位）に対して支持リブが設けられていないため、かかる底壁部外周部位が変形等し易くなってしまうおそれがある。従って、組立状態にある折畳み容器同士を段積みした場合に、底壁部外周部位の上面側に形成された土台部が、底壁部外周部位とともに底壁部外周側に傾倒してしまう上、該土台部に支持される側壁部についても、土台部の傾倒に伴って、外側に開くようにして傾倒してしまうことが懸念される。このように、下側の折畳み容器の側壁部が外側に開くようにして傾倒してしまうと、場合によっては、上側の折畳み容器が、下側の折畳み容器の側壁部による支持を部分的に失う等して、下側の折畳み容器の内側に落ち込んでしまう等の不具合を招くおそれがある。
【０００４】
これに対し、底壁部外周部位の変形を抑制するべく、底壁部外周部位から下方に突出する底壁突部を設けるとともに、側壁部の上辺部において、組立状態にある折畳み容器同士を段積みした場合に、上側の折畳み容器の底壁突部を収容する凹部を設けるといった技術がある（例えば、特許文献１等参照。）。
【先行技術文献】
【特許文献】
【０００５】
【特許文献１】特開２００５−１８６９４３号公報
【発明の概要】
【発明が解決しようとする課題】
【０００６】
ところで、組立状態にある折畳み容器同士を段積みする構造としては、上側の折畳み容器を支持することとなる下側の折畳み容器の側壁部自体が、外側に開くようにして変形してしまうといった問題点がある。かかる問題点に関しては、上記底壁突部を設けるだけでは解消することが不可能である。特に、底壁突部を設けることによって底壁部外周部位の変形が抑制される分だけ、側壁部自体が変形してしまうといった懸念がより顕著なものとなるおそれがある。
【０００７】
本発明は、上記例示した問題点等を解決するためになされたものであって、その目的は、段積み時の側壁部の変形を抑制し、且つ、段積み作業性の向上を図ることのできる折畳み容器を提供することにある。
【課題を解決するための手段】
【０００８】
以下、上記目的等を解決するのに適した各手段につき項分けして説明する。なお、必要に応じて対応する手段に特有の作用効果等を付記する。
【０００９】
手段１．略矩形板状をなす底壁部と、前記底壁部の各側辺部に沿ってそれぞれ上方に突出する土台部と、前記底壁部のうち上面側において前記土台部が形成されている土台形成範囲よりも内周側の部位の下面から下方に突出する支持リブとを具備する底壁構成部と、
前記各土台部に対してそれぞれ前記土台部の上方に立設される起立位置と、前記底壁部の上方に畳まれる寝かせ位置との間を回動可能に連結された側壁部とを備える折畳み容器において、
前記土台形成範囲において前記底壁部の下面から下方に突出する底壁突部と、
前記側壁部の上辺部において上方に開口するようにして形成され、全ての前記側壁部が前記起立位置とされた組立状態にある折畳み容器同士を上下に積み重ねた場合に、上側に重ねられた折畳み容器の前記底壁突部が収容される収容凹部とを備える構成であって、
前記収容凹部に設けられ、前記組立状態にある折畳み容器同士を上下に積み重ねた場合に、上側の折畳み容器の前記底壁突部のうち前記底壁部内周側の面と対向して、該底壁突部に当接、又は、近接する位置決め凸部と、
前記組立状態にある下側の折畳み容器の前記位置決め凸部のうち前記底壁部内周側の面である下容器凸部内面と、上側の折畳み容器の前記底壁突部のうち前記底壁部外周側の面である上容器突部外面とを対向させるようにして、折畳み容器同士を上下に重ねた状態から、
前記下容器凸部内面と、前記上容器突部外面とを近接させるようにして、上下の折畳み容器を水平方向に相対移動させた場合に、上側の折畳み容器の前記底壁突部を、下側の折畳み容器の前記位置決め凸部に対して斜め上方に変位させる乗り越え案内手段とを備えており、
前記土台部は、前記底壁部の相対する一対の側辺部に沿って設けられる一対の第１土台部と、前記一対の第１土台部の両端部間をそれぞれ連結するようにして、前記底壁部の側辺部に沿って設けられる一対の第２土台部とを備え、
前記側壁部は、前記第１土台部に対して連結される相対する一対の第１側壁部と、前記第２土台部に対して連結される相対する一対の第２側壁部とを備え、
前記底壁突部は、前記土台形成範囲のうち、前記第１土台部の下方に位置する部位と、前記第２土台部の下方に位置する部位とに設けられるとともに、
前記収容凹部は、前記第１側壁部と、前記第２側壁部とに設けられ、
前記位置決め凸部は、前記第１側壁部、及び、前記第２側壁部のうち、少なくとも前記第１側壁部に設けられ、
前記第１側壁部、及び、前記第２側壁部のうち、少なくとも前記第２側壁部の前記収容凹部には、当該第２側壁部の横幅方向中央部側に向けて下方傾斜し、前記収容凹部の底面と連続する傾斜面を有する前記乗り越え案内手段としての補助突起が設けられ、
前記組立状態にある下側の折畳み容器の前記第１側壁部に設けられた前記位置決め凸部の前記下容器凸部内面と、上側の折畳み容器の前記第１土台部の下方に位置する部位に設けられた前記底壁突部の前記上容器突部外面とを対向させるようにして、折畳み容器同士を同じ向きで上下に重ねた状態から、
前記下容器凸部内面と、前記上容器突部外面とを近接させるようにして、上下の折畳み容器を水平方向に相対移動させた場合に、
下側の折畳み容器の前記第２側壁部の前記収容凹部に設けられた前記補助突起の前記傾斜面に対し、上側の折畳み容器の前記第２土台部の下方に位置する部位に設けられた前記底壁突部が当接して、斜め上方へと案内されることを特徴とする折畳み容器。
【００１０】
手段１によれば、組立状態にある折畳み容器同士を上下に積み重ねた場合には、上側の折畳み容器の底壁突部が、下側の折畳み容器の収容凹部に収容されることとなるが、該収容凹部には、上側の折畳み容器の底壁突部のうち底壁部内周側の面（内面）と対向して、該底壁突部に当接、又は、近接する位置決め凸部が設けられている。このため、例えば、上側に載せられた折畳み容器の重みによって、下側の折畳み容器の側壁部が、折畳み容器の外側に開くようにして変形しようとした場合に、上側の折畳み容器の底壁突部の内面と、位置決め凸部のうち側壁部の外面側の面（外面）とが当接することとなる。従って、上側の折畳み容器の底壁突部によって、下側の折畳み容器の位置決め凸部の外側への変位、ひいては、側壁部の外側への変形を規制することができる。結果として、段積み状態の安定化を図ることができ、折畳み容器の運搬・保管効率の向上等を図ることができる。
【００１１】
また、一般に、折畳み容器の段積み作業に際して、組立状態にある折畳み容器の上側に載せた折畳み容器の水平方向における相対位置が若干ずれた場合、上側に載せた折畳み容器を、下側の折畳み容器の側壁部上辺部に滑らせるようにして、相対位置が合致するまでスライドさせる（スライドスタックする）といったことが行われる。
【００１２】
ところが、手段１のように、収容凹部において位置決め凸部を設ける場合には、上記のようなスライドスタックを行おうとしても、組立状態にある下側の折畳み容器の位置決め凸部のうち底壁部内周側の面である下容器凸部内面と、上側の折畳み容器の底壁突部のうち底壁部外周側の面である上容器突部外面とが当接して、それ以上の相対変位が規制されてしまうこと等が懸念される。このため、上側の折畳み容器の底壁突部を、下側の折畳み容器の収容凹部にスライドさせて収容させること、すなわち、折畳み容器のスライドスタックが不可能となり、段積み作業性の低下を招いてしまうおそれがある。
【００１３】
これに対し、手段１によれば、組立状態にある折畳み容器の上側に相対位置がずれて載せられた折畳み容器を、下側の折畳み容器との相対位置を合致させるべく、下側の折畳み容器の側壁部の上辺部に滑らせるようにしてスライドさせた場合に、上側の折畳み容器の底壁突部を、下側の折畳み容器の位置決め凸部に対して斜め上方に変位させる乗り越え案内手段が設けられている。このため、収容凹部に位置決め凸部が設けられる構成においても、スライドスタックを行うことができ、段積み作業性の向上等を図ることができる。
【００１５】
また、手段１によれば、上側の折畳み容器の第１土台部の下方に位置する部位に設けられた底壁突部が、下側の折畳み容器の第１側壁部に設けられた位置決め凸部を乗り越えて、下側の折畳み容器の第１側壁部に設けられた収容凹部に収容されるといったスライドスタックが可能な構成において、乗り越え案内手段が第２側壁部の収容凹部において形成されている。このため、下側の折畳み容器の第１側壁部に設けられた位置決め凸部の下容器凸部内面と、上側の折畳み容器の第１土台部の下方に位置する部位に設けられた底壁突部の上容器突部外面とを接触させることなく、スライドスタックが可能な構成とすることができる。従って、スライドスタックに際して、位置決め凸部が損傷してしまう等といった事態をより確実に防止することができる。
【００１６】
また、補助突起の傾斜面は、スライドスタックを行う場合の折畳み容器の進行方向に沿って傾斜させる必要がある。本手段１では、上側の折畳み容器の第１土台部の下方に位置する部位に設けられた底壁突部が、下側の折畳み容器の第１側壁部に設けられた位置決め凸部を乗り越えるといったスライドスタックを行う構成であり、補助突起の傾斜面は、第１側壁部の厚み方向であり、かつ、第２側壁部の横幅方向である方向に沿って傾斜するように構成される。そこで、本手段２によれば、補助突起を第２側壁部に設けることにより、例えば、補助突起を第１側壁部に設けて、補助突起の傾斜面を第１側壁部の厚み方向に傾斜させるといった場合に比べ、補助突起の突出長を大きくすることなく、補助突起の傾斜面を登りきるまでに要する距離をより長く確保することが可能となる。従って、例えば、第１側壁部に設けられた位置決め凸部を底壁突部に乗り越えさせるための補助突起を第１側壁部に設けたとしても、第１側壁部の厚みが比較的薄い場合に、補助突起の傾斜面が急になり過ぎてしまい、補助突起の傾斜面による案内効果が好適に奏されない等といった事態を回避することができる。
【００１７】
尚、底壁突部が、土台形成範囲のうち、第１土台部の下方に位置する部位だけでなく、第２土台部の下方に位置する部位にも設けられることで、底壁突部を設けることによって土台形成範囲の剛性を高めるといった作用効果が、土台形成範囲の全域にわたって奏されることとなる。また、「下側の折畳み容器の前記補助突起の前記傾斜面に案内された上側の折畳み容器の前記第２土台部の下方に位置する部位に設けられた前記底壁突部が、前記補助突起を乗り越えた場合には、上側の折畳み容器の前記第１土台部の下方に位置する部位に設けられた前記底壁突部についても、前記位置決め凸部を乗り越えて、前記収容凹部に収容された状態とされること」としてもよい。この場合、スライドスタックに際しての位置決め凸部の損傷を防止する等の上記作用効果が一層確実に奏される。
【００１８】
手段２．前記補助突起の前記傾斜面とは反対側の面は、当該補助突起が設けられた前記側壁部の上辺部の上面に対して直交する方向、又は、直交に近い方向に延びる直交面として構成されていることを特徴とする手段１に記載の折畳み容器。
【００１９】
手段２によれば、例えば、折畳み容器の段積み状態において、上側の折畳み容器に対し、第２側壁部の横幅方向に沿った方向に向かう力が作用した場合に、第２側壁部の補助突起の直交面と、第２土台部の下方に位置する部位に設けられた底壁突部とを当接させるように構成することができる。従って、第２土台部の下方に位置する部位に設けられた底壁突部が、補助突起に対して、当該補助突起の傾斜面とは反対側の面側から乗り上げることで、第１土台部の下方に位置する部位に設けられた底壁突部が浮き上がり、位置決め凸部を乗り越えて収容凹部から脱落してしまうといった事態をより確実に防止することができる。結果として、段積み状態の安定化等をより一層図ることができる。
【００２０】
また、例えば、段積み状態において、上側の折畳み容器が、下側の折畳み容器に対して水平方向に相対変位しようとした場合に、第１土台部の下方に位置する部位に設けられた底壁突部が、位置決め凸部のうち底壁部外周側の面に当接すると同時、又は、それよりも前段階で、第２土台部の下方に位置する部位に設けられた底壁突部が補助突起（直交面）に当接するように構成することで、位置決め凸部の保護等を図ることができる。
【図面の簡単な説明】
【００２１】
【図１】組立状態にある折畳み容器を上面側から見た斜視図である。
【図２】図１の部分拡大斜視図である。
【図３】組立状態にある折畳み容器を下面側から見た斜視図である。
【図４】図３の部分拡大斜視図である。
【図５】折畳み状態にある折畳み容器を上面側から見た斜視図である。
【図６】左半分は折畳み容器の下面図であり、右半分は組立状態にある折畳み容器の上面図である。
【図７】段積み状態にある折畳み容器を示す一部断面を含む斜視図である。
【図８】図７の部分拡大斜視図である。
【図９】（ａ）は、組立状態にある折畳み容器の断面模式図であり、（ｂ）は、折畳み容器のスライドスタックを説明するための説明図（下側の折畳み容器は断面で示し、上側の折畳み容器は側面を示す）である。
【図１０】ピンホール積みを説明するための折畳み容器の配置図である。
【図１１】（ａ）は、ピンホール積みを説明するための折畳み容器の平面模式図であり、（ｂ）は、折畳み容器の下面模式図である。
【図１２】別の実施形態における折畳み容器の部分拡大斜視図である。
【図１３】別の実施形態における折畳み容器の部分拡大斜視図である。
【発明を実施するための形態】
【００２２】
以下に、一実施形態について図面を参照して説明する。図１、図３、図５等に示すように、折畳み容器１は、略矩形板状をなす底壁部３と、底壁部３の各長辺部に沿って底壁部３からそれぞれ上方に突出する長辺側土台部４と、底壁部３の各短辺部に沿って底壁部３からそれぞれ上方に突出する短辺側土台部５とを具備する底壁構成部２と、各長辺側土台部４に対してそれぞれ回動可能に設けられた長辺側側壁部６と、各短辺側土台部５に対してそれぞれ回動可能に設けられた短辺側側壁部７とを備えている。本実施形態では、底壁構成部２、長辺側側壁部６、及び、短辺側側壁部７はポリプロピレンにより構成されている。また、本実施形態では、長辺側土台部４が第１土台部を構成し、短辺側土台部５が第２土台部を構成し、長辺側側壁部６が第１側壁部を構成し、短辺側側壁部７が第２側壁部を構成する。
【００２３】
長辺側側壁部６及び短辺側側壁部７は、それぞれ長辺側土台部４及び短辺側土台部５の上方に立設される起立位置（図１参照）と、底壁部３の上方に畳まれて、当該底壁部３とほぼ平行して延在する寝かせ位置（図５参照）との間を回動変位可能に構成されている。また、本実施形態では、長辺側土台部４の底壁部３からの突出長は、短辺側土台部５の底壁部３からの突出長よりも長くなっており、長辺側側壁部６を回動可能に支持するための長辺側軸受部８の形成位置も、短辺側側壁部７を回動可能に支持するための短辺側軸受部９の形成位置よりも上方に位置している（図１参照）。さらに、各短辺側土台部５は、相対する一対の長辺側土台部４の内面同士を連結するようにして設けられている。このため、本実施形態では、短辺側側壁部７を先に畳まないと、長辺側側壁部６を畳むことができないようになっている。そして、図５に示すように、全ての長辺側側壁部６及び短辺側側壁部７を寝かせ位置とした折畳み容器１の折畳み状態では、短辺側側壁部７が、底壁部３の上面に重なる（対面する）ようにして畳まれるとともに、長辺側側壁部６が、既に畳まれている短辺側側壁部７の上側に重なるようにして畳まれることとなる。
【００２４】
図１、図３、図５等に示すように、各長辺側側壁部６は、長辺側土台部４の長手方向における長さとほぼ同じ幅を有し、折畳み容器１が箱型に組立てられた組立状態において当該長辺側側壁部６の内面を構成する略平板状の長辺側ベース板１１と、長辺側ベース板１１の上辺部に沿って設けられる上枠部１２と、長辺側ベース板１１の下辺部から外方に延出する長辺側下辺リブ１３と、長辺側下辺リブ１３の下面から下方に突出し、長辺側軸受部８に軸支される略Ｔ字状の長辺側ヒンジ部１４とを備えている。
【００２５】
上枠部１２は、長辺側ベース板１１の上辺部から外方に向けて略直角に延出する枠下リブ１２ａと、枠下リブ１２ａの外端縁から上方に向けて略直角に延出する枠外リブ１２ｂと、枠外リブ１２ｂの上端縁から内方に向けて略直角に延出する枠上リブ１２ｃとを備え、断面略コ字状をなしている。また、上枠部１２には、適宜、枠下リブ１２ａの上面と、枠外リブ１２ｂの内面と、枠上リブ１２ｃの下面との間を連結する枠補強リブ１２ｄが設けられている。
【００２６】
加えて、長辺側ベース板１１には、両側部において長辺側ベース板１１の内面（起立位置では底壁部３の内周側を向き、寝かせ位置では下側を向く面）から突出する係止壁１７が設けられている。各係止壁１７には、長辺側側壁部６の横幅方向において貫通する挿入孔１８が形成されている。
【００２７】
図１、図３、図７等に示すように、各短辺側側壁部７は、短辺側土台部５の長手方向における長さとほぼ同じ横幅を有し、折畳み容器１が箱型に組立てられた組立状態において当該短辺側側壁部７の内面を構成する略平板状の短辺側ベース板２１と、短辺側ベース板２１の上辺部から外方に延出する短辺側上辺リブ２２と、短辺側ベース板２１の下辺部から外方に延出する短辺側下辺リブ２３と、短辺側下辺リブ２３の下面から下方に突出し、短辺側軸受部９に軸支される略Ｔ字状の短辺側ヒンジ部２４（図１参照）とを備えている。
【００２８】
また、短辺側ベース板２１には、両側部において、短辺側ベース板２１の外面から突出する挿入突起２７が設けられている。挿入突起２７は、前記長辺側側壁部６の係止壁１７に形成された挿入孔１８に対応して設けられている。そして、長辺側側壁部６を起立させた後、短辺側側壁部７を起立させることで、挿入突起２７が挿入孔１８に挿入されるとともに、短辺側ベース板２１の挿入突起２７の周辺部が、係止壁１７に支持されるようになっている（図１参照）。
【００２９】
また、図１、図７等に示すように、短辺側側壁部７の外面側には、短辺側上辺リブ２２の下方において、短辺側側壁部７の内倒れ等を防止するためのロック機構２８が設置されるロック機構設置部２９が設けられている。ロック機構２８は、ロック機構設置部２９の横幅方向中央部に設けられる操作部３０と、操作部３０の両側方において短辺側側壁部７の横幅方向に沿ってスライド可能に構成され、短辺側ベース板２１のうち、折畳み容器１の組立状態において長辺側側壁部６の係止壁１７に当接して支持される部位の外方領域に対して出没可能な左右一対のスライド片３１とを備えている。
【００３０】
これに対し、長辺側側壁部６には、折畳み容器１の組立状態において、前記後方領域に突出したスライド片３１の先端部の内面と係止される係止凸部（図示略）が設けられている。また、操作部３０を操作することによって、一対のスライド片３１が連動し、スライド片３１と係止凸部との係止状態を解除することができるようになっている。尚、スライド片３１及び操作部３０については、図示しない弾性片によって、スライド片３１と係止凸部との係止状態が維持される側に付勢されている。
【００３１】
尚、一対の短辺側土台部５間の距離は、短辺側側壁部７（短辺側ベース板２１）の高さ（上下幅）の２倍の長さよりも長くなっている。このため、一対の短辺側側壁部７の寝かせ位置の高さが揃うようになっている。その一方で、一対の長辺側土台部４間の距離は、長辺側側壁部６（長辺側ベース板１１）の高さ（上下幅）の２倍の長さよりも短くなっている。さらに、長辺側軸受部８は、寝かせ位置にある長辺側側壁部６の長辺側ヒンジ部１４の上下方向における変位を許容するように構成されている。このため、折畳み容器１を折り畳む場合には、一対の長辺側側壁部６のうち一方の長辺側側壁部６を寝かせ位置へと変位させた後、他方の長辺側側壁部６を、既に寝かせ位置とされた一方の長辺側側壁部６の上方に重ねるようにして、寝かせ位置へと変位させる。つまり、一対の長辺側側壁部６は、互いに折り重なるようにして畳まれる。
【００３２】
また、図３等に示すように、底壁構成部２には、底壁部３のうち上面側において長辺側土台部４及び短辺側土台部５が形成されている土台形成範囲４１よりも内周側の部位の下面から下方に突出する支持リブ４２が設けられている。支持リブ４２は、土台形成範囲４１との境界部に沿って設けられる外周リブ４３と、外周リブ４３の内周側において略格子状に設けられる内周リブ４４とを備えている。
【００３３】
さて、図３、図４、図６等に示すように、土台形成範囲４１には、底壁部３の下面から下方に突出する底壁突部４５が設けられている。底壁突部４５は、支持リブ４２（外周リブ４３）から離間した位置に設けられる突部本体４８と、突部本体４８と支持リブ４２の外周リブとの間を連結する補強壁部４９とを備えている。また、補強壁部４９の底壁部３からの突出長は、突部本体４８の底壁部３からの突出長よりも短くなっている。さらに、本実施形態では、支持リブ４２の下辺部と、底壁突部４５の突部本体４８の下端部とが同じ高さ位置となっており、折畳み容器１を平坦な床面に設置した場合には、支持リブ４２及び底壁突部４５が接地し、底壁突部４５が支持リブ４２とともに折畳み容器１を支持する構成となっている。
【００３４】
また、本実施形態では、土台形成範囲４１のうち、各長辺側土台部４に対応する部位においてそれぞれ４つの底壁突部４５（以下、「長辺側底壁突部４６」とも称する）が設けられ、各短辺側土台部５に対応する部位においてそれぞれ２つの底壁突部４５（以下、「短辺側底壁突部４７」とも称する）が設けられている。尚、本実施形態の底壁部３の長手方向における幅は、底壁部３の短手方向における幅の２倍の長さよりも若干短くなっている。
【００３５】
その一方で、図１、図２、図８等に示すように、長辺側側壁部６の上枠部１２の枠上リブ１２ｃ、及び、短辺側側壁部７の短辺側上辺リブ２２には、上方、及び、内側に開口するようにして形成され、全ての側壁部６、７が起立位置とされた組立状態にある折畳み容器１同士を同じ向きで上下に積み重ねた（段積みした）場合に、上側に重ねられた折畳み容器１の長辺側底壁突部４６、及び、短辺側底壁突部４７が収容される長辺側収容凹部５１、及び、短辺側収容凹部５２が設けられている。尚、長辺側収容凹部５１の底面、及び、短辺側収容凹部５２の底面は、長辺側側壁部６の枠上リブ１２ｃの上面、及び、短辺側側壁部７の短辺側上辺リブ２２の上面とほぼ平行に延在している。
【００３６】
そして、図７、図８に示すように、組立状態にある折畳み容器１同士を段積みした場合、上側の折畳み容器１の支持リブ４２が、下側の折畳み容器１の長辺側側壁部６及び短辺側側壁部７の内周側に挿入され、上側の折畳み容器１の長辺側底壁突部４６及び短辺側底壁突部４７が、下側の折畳み容器１の長辺側収容凹部５１及び短辺側収容凹部５２に収容されるとともに、上側の折畳み容器１の底壁部３（土台形成範囲４１）の下面が、下側の折畳み容器１の枠上リブ１２ｃ及び短辺側上辺リブ２２に当接して、支持されるようになっている。
【００３７】
また、図２、図９（ａ）等に示すように、長辺側収容凹部５１には、長辺側収容凹部５１の底面のうち長辺側側壁部６の内面側の辺部に沿って上方に突出する位置決め凸部５３が設けられている。位置決め凸部５３の突出長は、長辺側収容凹部５１の深さ（枠上リブ１２ｃ上面から長辺側収容凹部５１の底面までの距離）よりも短く構成されている。そして、組立状態にある折畳み容器１同士を段積みした場合には、下側の折畳み容器１の位置決め凸部５３は、上側の折畳み容器１の底壁突部４５のうち底壁部３内周側の面と対向して、該底壁突部４５に当接、又は、近接するように構成されている。
【００３８】
さらに、短辺側収容凹部５２には、短辺側収容凹部５２の底面から上方に突出する乗り越え案内手段としての補助突起５４が設けられている。補助突起５４は、短辺側側壁部７の横幅方向中央部側に向けて下方傾斜し、短辺側収容凹部５２の底面と連続する傾斜面５５と、傾斜面５５の上辺部から短辺側側壁部７の側辺部側に向けて、短辺側側壁部７の上辺部と並行に延びる上面５６と、上面５６のうち短辺側側壁部７の側辺部側の辺部から、下方に向けて、短辺側側壁部７の上辺部に対してほぼ直交する方向に延びる直交面５７とを有している。また、補助突起５４の直交面５７は、短辺側上辺リブ２２と並行して延びる短辺側収容凹部５２の底面に対してほぼ垂直に接している。加えて、補助突起５４の短辺側収容凹部５２底面からの突出長は、位置決め凸部５３の長辺側収容凹部底面からの突出長よりも若干長くなっている。
【００３９】
上記のような補助突起５４を設けることにより、折畳み容器１の段積み作業に際して、組立状態にある折畳み容器１の上側に載せた折畳み容器１の水平方向における相対位置が若干ずれた場合に（あえて、ずらして載せる場合もある）、上側に載せた折畳み容器１を、下側の折畳み容器１の側壁部６、７の上辺部に滑らせるようにして、相対位置が合致するまでスライドさせる（スライドスタックする）ことが可能となる。つまり、図９（ｂ）に示すように、組立状態にある下側の折畳み容器１の長辺側側壁部６に設けられた位置決め凸部５３（突部本体４８）のうち底壁部３の内周側の面である下容器凸部内面６１と、上側の折畳み容器１の長辺側底壁突部４６のうち底壁部３の外周側の面である上容器突部外面６２とを対向させるようにして、折畳み容器１同士を同じ向きで上下に重ねた状態（以下、「仮積み状態」とも称する）から、下容器凸部内面６１と、上容器突部外面６２とを近接させるようにして、上下の折畳み容器１を水平方向に相対移動させた場合に、下側の折畳み容器１の短辺側側壁部７の短辺側収容凹部５２に設けられた補助突起５４の傾斜面５５に対し、上側の折畳み容器１の短辺側底壁突部４７（突部本体４８）が当接して、斜め上方へと案内されるようになっている。
【００４０】
より具体的に説明すると、仮積み状態から上側の折畳み容器１をスライドさせて段積み状態とする際に、下側の折畳み容器１の位置決め凸部５３（の下容器凸部内面６１）と、上側の折畳み容器１の長辺側底壁突部４６（の上容器突部外面６２）とが当接する前段階で、下側の折畳み容器１の補助突起５４の傾斜面５５に対し、上側の折畳み容器１の短辺側底壁突部４７が当接する。さらに、スライドを続けることにより、上側の折畳み容器１の短辺側底壁突部４７が、下側の折畳み容器１の補助突起５４の傾斜面５５によって斜め上方に案内され、これに伴って、上側の折畳み容器１の長辺側底壁突部４６（補助突起５４の傾斜面５５に案内されている短辺側底壁突部４７よりもスライド進行方向先方側に位置する長辺側底壁突部４６）についても、斜め上方に変位させられることとなる。
【００４１】
上側の折畳み容器１の短辺側底壁突部４７が、下側の折畳み容器１の補助突起５４の傾斜面５５を登り切り、上面５６にまで達した場合、これに伴って、上側の折畳み容器１の長辺側底壁突部４６は、位置決め凸部５３よりも上方に位置することとなる。さらに、スライドを続けることにより、上側の折畳み容器１の短辺側底壁突部４７の下面が、下側の折畳み容器１の補助突起５４の上面５６を摺動し、これに伴って、上側の折畳み容器１の長辺側底壁突部４６は、下側の折畳み容器１の位置決め凸部５３の上方を通過することとなる。
【００４２】
上側の折畳み容器１の短辺側底壁突部４７が、下側の折畳み容器１の補助突起５４の上面５６を通過し終える段階では、上側の折畳み容器１の長辺側底壁突部４６についても、下側の折畳み容器１の位置決め凸部５３の上方を通過し終える構成となっている。従って、上側の折畳み容器１の短辺側底壁突部４７が、下側の折畳み容器１の補助突起５４を乗り越えて、短辺側収容凹部５２のうち補助突起５４の直交面５７側の領域に収容状態とされた場合には、上側の折畳み容器１の長辺側底壁突部４６についても、下側の折畳み容器１の位置決め凸部５３を（当該位置決め凸部５３に接触することなく）乗り越えて、長辺側収容凹部５１に収容状態とされる。
【００４３】
以上のように、上側の折畳み容器１の短辺側底壁突部４７が、下側の折畳み容器１の短辺側収容凹部５２のうち補助突起５４の直交面５７側の領域に収容状態とされ、上側の折畳み容器１の長辺側底壁突部４６が、下側の折畳み容器１の長辺側収容凹部５１に収容状態とされることで、上側の折畳み容器１の支持リブ４２が、下側の折畳み容器１の長辺側側壁部６及び短辺側側壁部７の内周側に挿入され、段積みが完了することとなる。
【００４４】
また、組立状態にある折畳み容器１の段積み状態において、上下の折畳み容器１が底壁部３の短手幅方向に相対変位する場合、上側の折畳み容器１の長辺側底壁突部４６が、下側の折畳み容器１の位置決め凸部５３に当接する前に、或いは、同時に、上側の折畳み容器１の短辺側底壁突部４７が、下側の折畳み容器１の補助突起５４の直交面５７に当接するように構成されているため、基本的に、上側の折畳み容器１の長辺側底壁突部４６と、下側の折畳み容器１の位置決め凸部５３とが圧接しない構成となっている。但し、組立状態にある折畳み容器１の段積み状態において、下側の折畳み容器１の長辺側側壁部６に対して上方から比較的大きな力が作用した場合等において、当該長辺側側壁部６が外側に開くようにして変形しようとした場合には、当該長辺側側壁部６の長辺側収容凹部５１に形成された位置決め凸部５３が、上側の折畳み容器１の長辺側底壁突部４６に当接し、長辺側側壁部６のそれ以上の外側への変形が規制されるように構成されている。
【００４５】
尚、図５に示すように、長辺側土台部４は、寝かせ位置とされた一対の長辺側側壁部６よりも上方にまで突出している。また、本実施形態では、長辺側土台部４において、上方、及び、底壁部３の内周側に開口し、折畳み状態にある折畳み容器１同士を同じ向きで段積みした場合に、上側に重ねられた折畳み容器１の長辺側底壁突部４６が収容される折畳み時収容凹部６５が設けられている。さらに、短辺側土台部５のうち長辺側土台部４との連結部位には、長辺側土台部４の左右両側部を短辺側土台部５側に突出させるようにして形成されたスライド規制部６６が設けられている。そして、折畳み状態にある折畳み容器１同士を段積みした場合、上側の折畳み容器１の支持リブ４２が、寝かせ位置にある長辺側側壁部６の上方で、かつ、長辺側土台部４、及び、スライド規制部６６で囲まれる領域に挿入（略嵌合）され、上側の折畳み容器１の長辺側底壁突部４６が、下側の折畳み容器１の折畳み時収容凹部６５に収容されるとともに、上側の折畳み容器１の底壁部３（土台形成範囲４１）の下面が、下側の折畳み容器１の長辺側土台部４の上面に当接して、支持されるようになっている。
【００４６】
また、本実施形態では、図示しないパレットに対して、４つの組立状態にある折畳み容器１を図１０（ａ）に示すように配置し、さらに、かかる４つの折畳み容器１の上側に対して、４つの折畳み容器１を図１０（ｂ）に示すように配置するようにして、折畳み容器１を段積み（所謂、ピンホール積み）することが可能に構成されている。つまり、図１０では、４つの折畳み容器１は、いずれも、一方の短辺側側壁部７が別の折畳み容器１の長辺側側壁部６に突き当てられ、かつ、一方の長辺側側壁部６が、さらに別の折畳み容器１の短辺側側壁部７に突き当てられるように配置されており、図１０（ａ）では、紙面左上に配置される折畳み容器１が紙面横向きに設置され、図１０（ｂ）では、紙面左上に配置される折畳み容器１が紙面縦向きに設置される。
【００４７】
このため、図１０（ａ）に示されるように配置される折畳み容器１の上側に、図１０（ｂ）に示されるように配置される折畳み容器１を積み重ねる場合、上側の折畳み容器１は、下側の折畳み容器１の側壁部６、７を跨ぐようにして配置されることとなる（図１１（ａ）の２点鎖線参照）。また、図３、図６に示すように、底壁構成部２の下面側には、上記のようなピンホール積みを行った場合に下側の折畳み容器１の側壁部６、７を跨ぐ部位（底壁部３の長手方向中央部を含む範囲）において、下側の折畳み容器１の側壁部６、７の上辺部を収容可能な側壁収容凹部６８が支持リブ４２を省略するような格好で形成されている。当該側壁収容凹部６８が設けられることにより、ピンホール積みを行った場合においても、上側の折畳み容器１の支持リブ４２を、下側の折畳み容器１の側壁部６、７の内周側に進入（略嵌合）させて、位置決めを行うことができる。
【００４８】
また、本実施形態では、図１１（ａ）に示すように、ピンホール積みを行うべく、上側の折畳み容器１が、２つの折畳み容器１を跨いで設置される場合においても、上側の折畳み容器１の底壁突部４５が、下側の折畳み容器１の収容凹部５１、５２に収容され、枠上リブ１２ｃや、短辺側上辺リブ２２との干渉が回避されるように構成されている。さらに、図３、図６、図１１（ｂ）等に示すように、本実施形態では、側壁収容凹部６８においても、当該側壁収容凹部６８が形成されることによって２つの島部に分けられた支持リブ４２に隣接して底壁突部４５（間隙用底壁突部７０）が設けられており、ピンホール積みが行われた場合には、かかる間隙用底壁突部７０についても、下側の折畳み容器１の収容凹部５２に収容されるようになっている。
【００４９】
尚、図３に示すように、底壁部３の側壁収容凹部６８に対応する部位には、格子状の底壁補強リブ６９が設けられている。本実施形態の底壁部３は、土台形成範囲４１よりも内周側の部位が、土台形成範囲４１よりも一段高くなるように構成されており、底壁部３の側壁収容凹部６８に設けられた底壁補強リブ６９の下辺部は、土台形成範囲４１における底壁部３の下面と同じ高さとなっている。
【００５０】
以上詳述したように、本実施形態によれば、組立状態にある折畳み容器１同士を同じ向きで上下に積み重ねた（段積みした）場合には、上側の折畳み容器１の長辺側底壁突部４６が、下側の折畳み容器１の長辺側収容凹部５１に収容されることとなるが、該長辺側収容凹部５１には、上側の折畳み容器１の長辺側底壁突部４６のうち底壁部３内周側の面（内面）と対向して、該長辺側底壁突部４６に当接、又は、近接する位置決め凸部５３が設けられている。このため、例えば、上側に載せられた折畳み容器１の重みによって、下側の折畳み容器１の長辺側側壁部６が、折畳み容器１の外側に開くようにして変形しようとした場合に、上側の折畳み容器１の長辺側底壁突部４６の内面と、位置決め凸部５３のうち長辺側側壁部６の外面側の面（外面）とが当接することとなる。従って、上側の折畳み容器１の長辺側底壁突部４６によって、下側の折畳み容器１の位置決め凸部５３の外側への変位、ひいては、長辺側側壁部６の外側への変形を規制することができる。結果として、段積み状態の安定化を図ることができ、折畳み容器１の運搬・保管効率の向上等を図ることができる。
【００５１】
また、本実施形態のように、長辺側収容凹部５１において位置決め凸部５３を設ける場合には、折畳み容器１の段積み作業に際して、組立状態にある折畳み容器１の上側に対し、底壁構成部２の短手方向に相対位置がずれて載せられた折畳み容器１を、下側の折畳み容器１の短辺側側壁部７の上辺部に滑らせるようにしてスライドさせてスライドスタックを行おうとしても、組立状態にある下側の折畳み容器１の位置決め凸部５３のうち底壁部３内周側の面である下容器凸部内面６１と、上側の折畳み容器１の長辺側底壁突部４６のうち底壁部３外周側の面である上容器突部外面６２とが当接して、それ以上の相対変位が規制されてしまうことが懸念される。このため、上側の折畳み容器１の長辺側底壁突部４６を、下側の折畳み容器１の長辺側収容凹部５１にスライドさせて収容させること、すなわち、折畳み容器１のスライドスタックが不可能となり、段積み作業性の低下を招いてしまうおそれがある。
【００５２】
これに対し、本実施形態によれば、短辺側収容凹部５２において、短辺側側壁部７の横幅方向中央部側に向けて下方傾斜し、短辺側収容凹部５２の底面と連続する傾斜面５５を有する補助突起５４が設けられている。そして、上記のように、底壁構成部２の短手方向におけるスライドスタックが行われる際には、下側の折畳み容器１の補助突起５４の傾斜面５５に対し、上側の折畳み容器１の短辺側底壁突部４７が当接して、当該短辺側底壁突部４７、ひいては、長辺側底壁突部４６が斜め上方へと案内される。このため、上側の折畳み容器１の長辺側底壁突部４６が、下側の折畳み容器１の位置決め凸部５３を乗り越えて、下側の折畳み容器１の長辺側収容凹部５１に収容されるといったスライドスタックが可能な構成とすることができる。従って、長辺側収容凹部５１に位置決め凸部５３が設けられる構成においても、スライドスタックを行うことができ、段積み作業性の向上等を図ることができる。
【００５３】
特に、本実施形態では、上記スライドスタックに際して、上側の折畳み容器１の長辺側底壁突部４６と、下側の折畳み容器１の位置決め凸部５３とが当接する前段階で、上側の折畳み容器１の短辺側底壁突部４７が、下側の折畳み容器１の補助突起５４の傾斜面５５と当接して斜め上方に案内され、上側の折畳み容器１の長辺側底壁突部４６の上容器突部外面６２と、下側の折畳み容器１の位置決め凸部５３の下容器凸部内面６１とを接触させることなく、上側の折畳み容器１の長辺側底壁突部４６を、下側の折畳み容器１の長辺側収容凹部５１に収容させることができる。従って、スライドスタックに際して、位置決め凸部５３が損傷してしまう等といった事態をより確実に防止することができる。
【００５４】
また、補助突起５４の傾斜面５５は、スライドスタックを行う場合の折畳み容器１の進行方向に沿って傾斜させる必要がある。本実施形態では、上側の折畳み容器１の長辺側底壁突部４６が、下側の折畳み容器１の長辺側側壁部６に設けられた位置決め凸部５３を乗り越えるといったスライドスタックを行う構成であり、補助突起５４の傾斜面５５は、長辺側側壁部６の厚み方向であり、かつ、短辺側側壁部７の横幅方向である方向に沿って傾斜するように構成される。そこで、本実施形態によれば、補助突起５４を短辺側側壁部７に設けることにより、例えば、補助突起５４を長辺側側壁部６に設けて、補助突起５４の傾斜面５５を長辺側側壁部６の厚み方向に傾斜させるといった場合に比べ、補助突起５４の突出長を大きくすることなく、補助突起５４の傾斜面５５を登りきるまでに要する距離をより長く確保することが可能となる。従って、例えば、長辺側側壁部６に設けられた位置決め凸部５３を長辺側底壁突部４６に乗り越えさせるための補助突起５４を長辺側側壁部６に設けたとしても、長辺側側壁部６の厚みが比較的薄い場合に、補助突起５４の傾斜面５５が急になり過ぎてしまい、補助突起５４の傾斜面５５による案内効果が好適に奏されない等といった事態を回避することができる。
【００５５】
さらに、補助突起５４の傾斜面５５とは反対側の面は、当該補助突起５４が設けられた短辺側側壁部７の上辺部の上面に対してほぼ直交する方向に延び、かつ、長辺側収容凹部５１の底面に対してほぼ垂直な直交面５７として構成されている。このため、例えば、折畳み容器１の段積み状態において、上側の折畳み容器１に対し、短辺側側壁部７の横幅方向に沿った方向に向かう力が作用した場合に、短辺側側壁部７の補助突起５４の直交面５７と、短辺側土台部５の下方に位置する部位に設けられた短辺側底壁突部４７とを当接させるように構成することができる。従って、短辺側底壁突部４７が、補助突起５４に対して、当該補助突起５４の傾斜面５５とは反対側の面側から乗り上げることで、長辺側底壁突部４６が浮き上がり、位置決め凸部５３を乗り越えて長辺側収容凹部５１から脱落してしまうといった事態をより確実に防止することができる。結果として、段積み状態の安定化等をより一層図ることができる。
【００５６】
また、例えば、段積み状態において、上側の折畳み容器１が、下側の折畳み容器１に対して水平方向に相対変位しようとした場合に、長辺側底壁突部４６が、位置決め凸部５３のうち底壁部３外周側の面に当接すると同時、又は、それよりも前段階で、短辺側底壁突部４７が補助突起５４の直交面５７に当接するように構成されている。このため、位置決め凸部５３の保護等を図ることができる。
【００５７】
尚、側壁部６、７の上辺部に収容凹部５１、５２を形成する都合上、段積み状態において上側の折畳み容器１の支持リブ４２外周面（外周リブ４３の外面）を受ける面積が低減する可能性がある上、スライドスタックを可能とするべく、短辺側収容凹部５２を、短辺側底壁突部４７の幅よりも広くなるように（短辺側側壁部７の横幅方向において、短辺側収容凹部５２内を短辺側底壁突部４７がスライドできるように）構成する必要がある。このため、段積み状態における折畳み容器１の水平方向における位置ずれを防止する効果が低下することが懸念され、特に、長辺側底壁突部４６を極力底壁部３のコーナー部近傍に設ける場合には、かかる懸念がより顕著なものとなる。この点、上記のように、補助突起５４の直交面５７においても、短辺側底壁突部４７の位置ずれを防止するといった構成を採用することによって、かかる不具合を防止することができる。
【００５８】
加えて、底壁突部４５は、土台形成範囲４１のうち、長辺側土台部４の下方に位置する部位だけでなく、短辺側土台部５の下方に位置する部位にも設けられることで、底壁突部４５を設けることによって土台形成範囲４１の剛性を高めるといった作用効果が、土台形成範囲４１の全域にわたって奏されることとなる。
【００５９】
尚、上記実施形態の記載内容に限定されず、例えば次のように実施してもよい。勿論、以下において例示しない他の応用例、変更例も当然可能である。
【００６０】
（ａ）上記実施形態では、長辺側側壁部６に形成された長辺側収容凹部５１に対して位置決め凸部５３が設けられる構成となっているが、例えば、図１２に示すように、短辺側側壁部７に形成された短辺側収容凹部５２にも位置決め凸部８１を設けるように構成してもよい。さらに、かかる構成を採用する場合には、長辺側側壁部６の長辺側収容凹部５１に対して、長辺側側壁部６の横幅方向中央部側に下方傾斜する傾斜面８３を有する補助突起８２を設けることが望ましい。この場合、短辺側側壁部７の外側へ開くような変形を防止することができるとともに、短辺側収容凹部５２に位置決め凸部８１が設けられる構成を採用しても、底壁部３の長手方向に沿ったスライドスタックを行うことが可能となる。
【００６１】
尚、短辺側側壁部７に位置決め凸部８１を設ける場合には、長辺側側壁部６の位置決め凸部５３を省略することとしてもよい。但し、長辺側側壁部６は、短辺側側壁部７よりも横幅が広い分、横幅方向中央部付近等が比較的変形し易くなることが懸念されるため、少なくとも長辺側側壁部６に対応して位置決め凸部５３を設けることが望ましい。
【００６２】
（ｂ）上記実施形態では、傾斜面５５を有する補助突起５４が設けられることで、組立状態にある折畳み容器１同士をスライドスタックする際に、下側の折畳み容器１の位置決め凸部５３の内面（下容器凸部内面６１）と、上側の折畳み容器１の底壁突部４５の外面（上容器突部外面６２）との接触を回避するようにして、上側の折畳み容器１の底壁突部４５が、下側の折畳み容器１の位置決め凸部５３を乗り越えるように構成されているが、当該乗り越えに関する構成については特に限定されるものではない。
【００６３】
例えば、図１３に示すように、底壁突部４５のうち、スライドスタックに際して、下側の折畳み容器１の位置決め凸部５３の内面（下容器凸部内面６１）と対向し得る外面（の一部）を傾斜面８５としてもよい。この場合、スライドスタックに際して、下側の折畳み容器１の位置決め凸部５３の内面（下容器凸部内面６１）と、上側の折畳み容器１の底壁突部４５の外面（上容器突部外面６２）とが接触するような構成であっても、スライドスタックが規制されてしまうといった事態を回避することができる。また、当該底壁突部４５の外面に傾斜面８５を設ける構成を採用する場合には、補助突起５４を省略することも可能である。尚、底壁突部４５の傾斜面８５は乗り越え案内手段を構成する。
【００６４】
（ｃ）さらに、位置決め凸部５３を長辺側側壁部６の内面よりも外側に変位した位置に設けるとともに、位置決め凸部５３の内面（下容器凸部内面６１）側に対して、位置決め凸部５３の上辺部から、長辺側側壁部６の内面側に向けて下方傾斜する傾斜面を有する案内リブ等を設けることとしてもよい。また、位置決め凸部５３の内面から上面にかけての部位を、上方に向けて外側（長辺側側壁部６の外面側）に傾斜する傾斜面、或いは、湾曲面（例えば、コーナー半径Ｒ０．５ｍｍ程度）としてもよい。これらの場合においても、スライドスタックに際して、下側の折畳み容器１の位置決め凸部５３の鉛直な内面（下容器凸部内面６１）と、上側の折畳み容器１の底壁突部４５の外面（上容器突部外面６２）とが当接し、スライドスタックが規制されてしまうといった事態を回避することができる。また、当該構成を採用する場合には、補助突起５４を省略することも可能である。尚、前記案内リブは乗り越え案内手段を構成する。
【００６５】
（ｄ）加えて、上記実施形態において、補助突起５４に傾斜面５５を形成する構成に代えて、底壁突部４５に対して、スライドスタックに際して補助突起５４と接触する面を傾斜面として形成するように構成してもよい。
【００６６】
（ｅ）上記実施形態では、支持リブ４２の下辺部と、底壁突部４５（突部本体４８）の下端部とが同じ高さ位置とされるとともに、底壁突部４５が支持リブ４２と連結されているが、例えば、底壁突部４５の下端部が支持リブ４２の下辺部よりも上方に位置したり、底壁突部４５が支持リブ４２と連結されなかったりするように構成してもよい。但し、底壁突部４５を支持リブ４２と連結することで、底壁部３の土台形成範囲４１における剛性を高めるといった作用効果がより確実に奏されるとともに、底壁突部４５が支持リブ４２とともに接地する構成とすることで、土台形成範囲４１の変形等を防止するといった作用効果がより一層奏されることとなる。
【００６７】
（ｆ）さらに、上記実施形態では、ピンホール積みが可能な折畳み容器１に具体化されているが、同じ向きでしか積み重ねることのできない折畳み容器に適用することも可能である。加えて、上記実施形態において、位置決め凸部５３に係止されることのない（補強用の）底壁突部４５を設けることとしてもよい。また、上記実施形態では、底壁部３が長辺部と短辺部とを有する略矩形状に構成されているが、平面視略正方形状に構成されてもよい。
【００６８】
（ｇ）上記実施形態では、長辺側土台部４の底壁部３からの突出長が、短辺側土台部５の底壁部３からの突出長よりも長く、折畳み容器１の折畳み状態において、短辺側側壁部７が、長辺側側壁部６の下方に折り畳まれるように構成されているが、短辺側土台部５の突出長の方を長くして、短辺側側壁部７が長辺側側壁部６の上方に折り畳まれるように構成してもよい。
【００６９】
（ｈ）上記実施形態では、折畳み容器１はポリプロピレンにより構成されているが、ポリエチレン、ＰＥＴ、ポリアミド等その他の樹脂材料により構成されることとしてもよい。
【符号の説明】
【００７０】
１…折畳み容器、２…底壁構成部、３…底壁部、４…長辺側土台部、５…短辺側土台部、６…長辺側側壁部、７…短辺側側壁部、４１…土台形成範囲、４２…支持リブ、４５…底壁突部、４６…長辺側底壁突部、４７…短辺側底壁突部、５１…長辺側収容凹部、５２…短辺側収容凹部、５３…位置決め凸部、５４…補助突起、５５…傾斜面、５７…直交面、６１…下容器凸部内面、６２…上容器突部外面。
【図１】
0006359465.tif 000002
【図２】
0006359465.tif 000003
【図３】
0006359465.tif 000004
【図４】
0006359465.tif 000005
【図５】
0006359465.tif 000006
【図６】
0006359465.tif 000007
【図７】
0006359465.tif 000008
【図８】
0006359465.tif 000009
【図９】
0006359465.tif 000010
【図１０】
0006359465.tif 000011
【図１１】
0006359465.tif 000012
【図１２】
0006359465.tif 000013
【図１３】
0006359465.tif 000014